(57)【要約】【課題】ラッチ機構による挿抜の容易さを失うことなく通信機器に搭載される光送受信器の高集積化を可能とし、非搭載時においてもソケット口への異物の侵入や、光ファイバコネクタの誤挿入を容易に防げるロック機構付きパッケージを提供する。【解決手段】光ファイバコネクタを挿抜するためのソケット口１６を有しケージ６内に挿抜自在に挿入されるパッケージ本体１７と、パッケージ本体１７に出没自在に設けられケージ６に係合されるロック部１５と、ロック部１５をパッケージ本体１７から出没させる操作レバー２１とを備えたロック機構付きパッケージ１であって、操作レバー２１に連動してソケット口１６を開閉するシャッタ１８を備えたものである。【選択図】        図１
2004264548.tif 000002
【特許請求の範囲】
【請求項１】
光ファイバコネクタを挿抜するためのソケット口を有しケージ内に挿抜自在に挿入されるパッケージ本体と、該パッケージ本体に設けられ上記ケージに上記パッケージ本体を締結解除自在にロックするための操作手段とを備えたロック機構付きパッケージであって、上記操作手段に連動して上記ソケット口を開閉するシャッタを備えたことを特徴とするロック機構付きパッケージ。
【請求項２】
光ファイバコネクタを挿抜するためのソケット口を有しケージ内に挿抜自在に挿入されるパッケージ本体と、該パッケージ本体に出没自在に設けられ上記ケージに係合されるロック部と、該ロック部を上記パッケージ本体から出没させる操作レバーとを備えたロック機構付きパッケージであって、上記操作レバーに連動して上記ソケット口を開閉するシャッタを備えたことを特徴とするロック機構付きパッケージ。
【請求項３】
上記パッケージ本体は複数のソケット口を有し、上記シャッタはそれぞれのソケット口に設けられる請求項２記載のロック機構付きパッケージ。
【請求項４】
上記シャッタは、上記ソケット口内に起倒可能に設けられたシャッタ板からなる請求項２または３記載のロック機構付きパッケージ。
【請求項５】
上記パッケージ本体に枢支され上記操作レバーと一体に回動するレバー軸と、該レバー軸に径方向に延びて設けられ上記シャッタ板を起立させるための延出部とを備えた請求項４記載のロック機構付きパッケージ。
【請求項６】
上記レバー軸に設けられたクランク部と、上記パッケージ本体に揺動可能に支持され上記クランク部に一端側を連結されると共に他端側に上記ロック部を設けられた梃子部材とを備えた請求項５記載のロック機構付きパッケージ。
【請求項７】
上記パッケージ本体内に上記ロック部を没入させるように上記操作レバーを回動させたとき上記シャッタ板を起立させるように上記延出部と上記クランク部との相対位相を決定した請求項６記載のロック機構付きパッケージ。
【請求項８】
上記操作レバーは、上記シャッタ板の倒伏に連動して回動するとき上記光ファイバコネクタの挿抜経路上を交差方向に移動するハンドル部を有する請求項５〜７いずれかに記載のロック機構付きパッケージ。
【発明の詳細な説明】
【０００１】
【発明の属する技術分野】
本発明は、光送受信モジュールなどの光通信用パッケージに係り、ケージに対して交換可能に取り付けられる光通信用のロック機構付きパッケージに関するものである。
【０００２】
【従来の技術】
送信用光素子と受信用光素子とを有する光送受信器（パッケージ）は、光伝送システムにおける重要な光コンポーネントである。伝送容量の拡大に伴い１つの伝送装置に多数のパッケージを必要とするケースが増えており、これによって、より小型のパッケージが求められるようになっている。パッケージのサイズが通信機器のサイズや伝送能力を決める大きな要因のひとつとなってきているためである。実装密度を上げることができればより大きな伝送能力をもたせることができる。
【０００３】
そして、ひとつの通信機器に搭載されるパッケージの数が増えるにつれ、故障しても通信機器を停止させることなく交換可能なパッケージが求められるようになった。このため、小型で活線挿抜可能なロック機構付きパッケージが誕生した。活線挿抜は、パッケージとケージにラッチ機構を設けることで、指で安定した固定を可能とし、容易に取り外しができるようになっている。
【０００４】
図１１に示すパッケージ４０は、特許文献１に記載されたものである。このパッケージ４０は、光ファイバコネクタを挿抜するためのソケット口（図示せず）を有しケージ４１内に挿抜自在に挿入されるパッケージ本体４２と、パッケージ本体４２に揺動自在に設けられた梃子部材４３と、梃子部材４３の一端に設けられケージ４１側に出没するロック部４４と、梃子部材４３の他端側に係合されロック部４４をパッケージ本体４２側に引っ込めるように梃子部材４３を揺動させる操作レバー４５とを備えて構成されている。パッケージ４０はケージ４１に挿入されることで梃子部材４３の他端側をケージ４１に取り付けられたルーフバネ４６に当て、ルーフバネ４６の力でロック部４４をケージ４１側に突出させるようになっている。
【０００５】
なお、ケージの形状（寸法やラッチの位置）は、各メーカ共通の規格により規定されている。
【０００６】
【特許文献１】
米国特許第６４３９９１８Ｂ１号明細書（第１図、第３Ｂ図、第４図）
【０００７】
【発明が解決しようとする課題】
ところで、交換可能なパッケージは、通信機器から取り外して自由に取り扱うことができ、光ファイバコネクタを接続していないときソケット口は開放されたままであるため、塵などの異物がソケット口内の接続部分に侵入するという課題があった。
【０００８】
また、パッケージがケージに完全に装着されていない状態であってもソケット口に光ファイバコネクタを挿入することができ、誤挿入を防止できないという課題があった。
【０００９】
そして、近年、小型化、高集積化が進んだ結果、交換可能なパッケージを利用しても、各トランシーバ間の距離が短すぎて、指が入らず、挿抜が非常に難しい通信機器が出る状況にある一方、交換不可能なパッケージでは、故障した時に通信機器に搭載されているパッケージ全てを停止させる必要が出てしまいニーズに応えることができない。このため、上記課題を解決するためであってもパッケージの挿抜の容易さを犠牲にすることはできない。
【００１０】
そこで、本発明の目的は、上記課題を解決し、ラッチ機構による挿抜の容易さを失うことなく通信機器に搭載される光送受信器の高集積化を可能とし、非搭載時においてもソケット口への異物の侵入や、光ファイバコネクタの誤挿入を容易に防げるロック機構付きパッケージを提供することにある。
【００１１】
【課題を解決するための手段】
上記目的を達成するために本発明は、光ファイバコネクタを挿抜するためのソケット口を有しケージ内に挿抜自在に挿入されるパッケージ本体と、該パッケージ本体に設けられ上記ケージに上記パッケージ本体を締結解除自在にロックするための操作手段とを備えたロック機構付きパッケージであって、上記操作手段に連動して上記ソケット口を開閉するシャッタを備えたものである。通信機器に搭載しないときであってもソケット口への異物の侵入を容易に防ぐことができる。
【００１２】
光ファイバコネクタを挿抜するためのソケット口を有しケージ内に挿抜自在に挿入されるパッケージ本体と、該パッケージ本体に出没自在に設けられ上記ケージに係合されるロック部と、該ロック部を上記パッケージ本体から出没させる操作レバーとを備えたロック機構付きパッケージであって、上記操作レバーに連動して上記ソケット口を開閉するシャッタを備えたものである。
【００１３】
上記パッケージ本体は複数のソケット口を有し、上記シャッタはそれぞれのソケット口に設けられるとよい。
【００１４】
上記シャッタは、上記ソケット口内に起倒可能に設けられたシャッタ板からなるとよい。
【００１５】
そして、上記パッケージ本体に枢支され上記操作レバーと一体に回動するレバー軸と、該レバー軸に径方向に延びて設けられ上記シャッタ板を起立させるための延出部とを備えるとよい。
【００１６】
また、上記レバー軸に設けられたクランク部と、上記パッケージ本体に揺動可能に支持され上記クランク部に一端側を連結されると共に他端側に上記ロック部を設けられた梃子部材とを備えるとよい。
【００１７】
上記パッケージ本体内に上記ロック部を没入させるように上記操作レバーを回動させたとき上記シャッタ板を起立させるように上記延出部と上記クランク部との相対位相を決定するとよい。
【００１８】
また、上記操作レバーは、上記シャッタ板の倒伏に連動して回動するとき上記光ファイバコネクタの挿抜経路上を交差方向に移動するハンドル部を有するとよい。
【００１９】
【発明の実施の形態】
本発明の好適実施の形態を添付図面に基づいて詳述する。
【００２０】
図７に示すように、ロック機構付きパッケージ１を取り付ける通信機器２は箱型シャーシ３の前面をフランジ付きパネル４にしたもので、パネル４にはパッケージ１を挿入するための窓５が縦横に複数列形成されている。箱型シャーシ３内には、窓５に位置を合わせるように複数のケージ６を整列配置した基板（図示せず）が上下に重ねて収容されている。
【００２１】
図５及び図７に示すように、ケージ６は、パッケージ１を機械的に保持するためのものであり、パッケージ１を着脱できるようになっている。
【００２２】
ケージ６は、一端（前端）を開放された前後に長い箱型に形成されており、前端からパッケージ１を挿抜できるようになっている。電気的には、パッケージ１の後端に接続端子群（図示せず）を形成し、基板７上にはその相手方となる接続端子群（図示せず）を配置しておくことで、パッケージ１をケージ６に挿入したとき、接続が図られるようになっている。これにより、パネル４の窓５からパッケージ１を挿抜することができ、通信機器２を分解することなくパッケージ１を交換できるようになっている。
【００２３】
ケージ６とパッケージ１は、互いに係止しあうための雌雄ロック機構８，９をそれぞれ有する。雌側ロック機構８は、ケージ６の底面１０の前端側に前後に延びる２本の切り込み１１を形成し、これら切り込み１１の間に形成された板バネ１２と、板バネ１２に三角形に開口するように形成された係合穴１３とからなる。板バネ１２の前端には若干の反り１４が形成されている。
【００２４】
雄側ロック機構９は、係合穴１３に嵌め込むための突起（ロック部）１５を備えており、ロック部１５を係合穴１３内に嵌め込むことでパッケージ１の挿抜方向の移動をロックするようになっている。
【００２５】
図７及び図８に示すように、パッケージ１は、光ファイバコネクタ（図示せず）を挿抜するためのソケット口１６を有しケージ６内に挿抜自在に挿入されるパッケージ本体１７と、パッケージ本体１７に設けられる雄側ロック機構９と、雄側ロック機構９に連動してソケット口１６を開閉するシャッタ１８とを備えて構成されている。
【００２６】
パッケージ本体１７は、挿抜方向（前後方向）に長い略直方体状に形成されケージ６内に収容される胴部１９と、胴部１９の前側に一体に形成されケージ６外に露出される頭部２０とからなる。頭部２０は、上下左右の外形寸法をケージ６と略同じに形成されており、前方へ向けて開口する左右一対のソケット口１６を有する。ソケット口１６の一方は、送信側の光ファイバコネクタを接続するためのものであり、他方は受信側の光ファイバコネクタを接続するためのものである。
【００２７】
図１、図２、図３及び図４に示すように、雄側ロック機構９は、パッケージ本体１７に枢支された操作レバー（操作手段）２１と、操作レバー２１のレバー軸２２に一体に形成されたクランク部２３と、パッケージ本体１７に揺動可能に支持されクランク部２３に一端側を連結された梃子部材２４と、梃子部材２４の他端側に設けられたロック部１５とを備えて構成されている。
【００２８】
操作レバー２１は、ロック部１５をパッケージ本体１７から出没させる操作手段であり、頭部２０の底部に幅方向に延びて枢支されパッケージ本体１７の両側から露出されるレバー軸２２と、レバー軸２２に一体に取り付けられ径方向に延びるアーム部２５と、アーム部２５の先端に幅方向に延びて設けられアーム部２５が起立されたとき頭部２０の上端に当接されると共に、アーム部２５が前方に倒されたときソケット口１６の前方を横切るハンドル部２６とを備えて構成されている。
【００２９】
図３及び図４に示すように、レバー軸２２は、１本の軸材を屈曲形成してなるものであり、両端にそれぞれ形成されアーム部２５を一体に取り付けるべく断面矩形状に形成されたアーム取付部２７と、長手方向中央に形成され梃子部材２４を回動させるためのクランク部２３と、クランク部２３とアーム取付部２７の間の位置にそれぞれ径方向に延びて設けられ後述するシャッタ板２８を起立させるための延出部２９とを有する。
【００３０】
クランク部２３は、アーム部２５が倒されたとき下方（ケージ６側）に偏心するようにアーム部２５に対する相対位相を決定されており、アーム部２５が倒されたときにロック部１５をパッケージ本体１７内に没入させると共に、アーム部２５が起立されたときにロック部１５をパッケージ本体１７から突出させるようになっている。
【００３１】
延出部２９は、クランク部２３が下方に偏心されたとき起立されるようにクランク部２３との相対位相を決定されており、ロック部１５がパッケージ本体１７内に没入されたとき起立してシャッタ板２８を起立させると共に、ロック部１５がパッケージ本体１７から突出されたとき倒れてシャッタ板２８が倒れるのを許容するようになっている。
【００３２】
アーム部２５は、レバー軸２２の両端にそれぞれ並行に延び、かつ、レバー軸２２と一体に回動するように取り付けられており、起立されたとき頭部２０の前端形状に沿うように屈曲形成されている。
【００３３】
ハンドル部２６は、一対のアーム部２５間に掛け渡すように設けられており、アーム部２５が起倒されるとき（延出部２９が起倒されるとき）光ファイバコネクタの挿抜経路上を交差方向（上下方向）に移動するようになっている。
【００３４】
梃子部材２４は、パッケージ本体１７の底部に回動可能に支持され幅方向に延びる梃子軸３０と、梃子軸３０に一体に設けられ前後方向に延びる揺動部３１とからなる。揺動部３１は、前端をＵ字状に折り返してなるフック部３２を有し、フック部３２をクランク部２３に掛けるようになっている。すなわち、フック部３２は、クランク部２３から力を受ける力端を形成している。また、揺動部３１の後端には、下方に突起するロック部１５が一体に設けられている。ロック部１５は、揺動部３１が揺動することでパッケージ本体１７から出没するようになっている。また、揺動部３１は、パッケージ本体１７をケージ６内に挿入したときにロック部１５を係合穴１３の位置に合わせるように前後方向の長さを決定されており、後端を胴部１９まで延長されている。
【００３５】
シャッタ１８は、ソケット口１６内に起倒可能に設けられたシャッタ板２８からなる。具体的には、シャッタ板２８は、ソケット口１６内の下部に回動自在に支持されており、回動先端を後方へ倒した姿勢から略垂直に起立する姿勢までの範囲で回動するようになっている。また、パッケージ本体１７は、シャッタ板２８の回動軸３３の後側を切り欠いて形成されており、延出部２９がシャッタ板２８に当たるのを妨げないようになっている。
【００３６】
次に本実施の形態の作用を述べる。
【００３７】
図７に示すように、ケージ６内にロックされたパッケージ１をケージ６から取り外す場合、まず、光ファイバコネクタをソケット口１６から抜き取り、ハンドル部２６に上方から指を掛け、手前に引く。ハンドル部２６は比較的大きく周囲に邪魔するものがないため、容易に指を掛けることができる。
【００３８】
操作レバー２１はレバー軸２２を中心に手前に回動され傾倒される。このとき、レバー軸２２は操作レバー２１と一体に回動する。図３及び図４に示すように、上方に向いていたクランク部２３は倒れるように下方へ回動し、後方に向いていた延出部２９は起きあがるように上方へ回動される。
【００３９】
そして、クランク部２３は、梃子部材２４のフック部３２を押し下げる。梃子部材２４は、梃子軸３０を中心に揺動され、後端側のロック部１５をパッケージ本体１７内に没入させる。これによりロック部１５は、係合穴１３から抜かれ、パッケージ１とケージ６とのロックは解除される。すなわち、操作レバー２１を手前に引くだけで容易にロック解除できる。
【００４０】
他方、上方へ回動する延出部２９は、シャッタ板２８の後側を押し上げる。シャッタ板２８は前端に設けられた回動軸３３を中心に回動されソケット口１６を塞ぐ。
【００４１】
この状態でハンドル部２６を手前（前方）に引くことで、ケージ６からパッケージ１を容易に抜き取ることができる。
【００４２】
このとき、作業手順を誤り、光ファイバコネクタを接続したままパッケージ１をケージ６から取り外そうとしても、起立されるシャッタ板２８がソケット口１６内の光ファイバコネクタに干渉して操作レバー２１の回動を規制することができ、誤操作を防ぐことができる。
【００４３】
また同様に、光ファイバコネクタを外さないと、通信機器２からパッケージ１を外せない構造になっているので、振動落下等で誤ってパッケージ１が外れるのを防ぐことができる。
【００４４】
ケージ６にパッケージ１を装着するときは、図８に示すように予め操作レバー２１を起立させ、ソケット口１６に光ファイバコネクタを挿入し、ケージ６内に胴部１９側から挿入する。
【００４５】
図３及び図４に示すように、前方に倒れた操作レバー２１を起立させるとき、下方に延びていたクランク部２３は上方へ回動され、上方へ延びていた延出部２９は後方へ回動される。これによりクランク部２３はフック部３２を押し上げてロック部１５をパッケージ本体１７から突出させ、シャッタ板２８は自重によって後方へ倒れ、ソケット口１６を開放する。そして、この状態でパッケージ１をケージ６内に挿入すると、ロック部１５は図５に示す板バネ１２の反り１４に当たって板バネ１２を下方に押し退けながらケージ６内に移動する。そして、ロック部１５と係合穴１３が上下に重なったとき、ロック部１５は係合穴１３内に挿入され、パッケージ１はケージ６にロックされる。ソケット口１６は開放されているため、自由に光ファイバコネクタを挿入することができる。
【００４６】
また、図６に示すように、使用しないパッケージ１の操作レバー２１を頭部２０の前に位置させておくと、シャッタ板２８が起立されるため、ソケット口１６に光ファイバコネクタ３４を間違って挿入してしまうのを防ぐことができる。そして万一、シャッタ板２８が起立されたソケット口１６内に光ファイバコネクタ３４を挿入しようとしても、シャッタ板２８がレバー軸２２と共に操作レバー２１を回動させ、操作レバー２１のハンドル部２６が光ファイバコネクタ３４に干渉してシャッタ板２８の回動を規制するため、ソケット口１６に光ファイバコネクタ３４を誤挿入するのを防ぐことができる。
【００４７】
このように、操作レバー２１に連動してソケット口１６を開閉するシャッタ１８を備えてパッケージ１を構成したため、パッケージ１を通信機器２等に搭載しないとき、光ファイバコネクタ３４や専用カバー（図示せず）を用いなくともソケット口１６内を防塵できる。
【００４８】
また、それぞれのソケット口１６にシャッタ１８を設けるものとしたため、それぞれのソケット口１６を防塵できる。
【００４９】
そして、ソケット口１６内にシャッタ板２８を起倒可能に設けてシャッタ１８を構成したため、シャッタ１８を簡易で安価なものにできる。
【００５０】
パッケージ本体１７に枢支され操作レバー２１と一体に回動するレバー軸２２と、レバー軸２２に径方向に延びて設けられシャッタ板２８を起立させるための延出部２９とを備えてパッケージ１を構成したため、操作レバー２１とシャッタ板２８とを簡単な構造で安定して連動させることができる。
【００５１】
そして、レバー軸２２に設けられたクランク部２３と、パッケージ本体１７に揺動可能に支持されクランク部２３に一端側を連結されると共に他端側にロック部１５を設けられた梃子部材２４とを備えてパッケージ１を構成したため、操作レバー２１の操作でロック部１５を容易に出没させることができる。
【００５２】
また、パッケージ本体１７内にロック部１５を没入させるように操作レバー２１を回動させたときシャッタ板２８を起立させるように延出部２９とクランク部２３との相対位相を決定したため、ケージ６とパッケージ１のロック解除をすると同時にソケット口１６を閉じることができる。そして、ソケット口１６内に光ファイバコネクタ３４が挿入されたままの誤ったロック解除を防止できる。
【００５３】
操作レバー２１は、シャッタ板２８の倒伏に連動して回動するとき光ファイバコネクタ３４の挿抜経路上を交差方向に移動するハンドル部２６を有するため、シャッタ板２８が起立された状態での光ファイバコネクタ３４の挿入を防ぐことができる。
【００５４】
また、雄側ロック機構９とシャッタ板２８とを板金で製造できるので、寸法精度を向上させることができ、製造コストを低減できる。
【００５５】
なお、シャッタ板２８は、ソケット口１６を塞ぐ程度に起立されればよく、起立したときの角度は垂直でなくてもよい。
【００５６】
また、図９に示すように、シャッタ板２８の位置をソケット口１６の奥部に設定し、ソケット口１６を完全に塞げるようにしてもよい。この場合、レバー軸２２と連動する他の軸（図示せず）をシャッタ板２８の近傍に設け、この軸にシャッタ板２８を起こすための突出部（図示せず）を設けるとよい。
【００５７】
また更に、図１０に示すように、ソケット口１６を前方にのみ開口するように形状を変更し、シャッタ板２８でソケット口３５を完全に塞げるようにしてもよい。
【００５８】
また、パッケージ本体１７からロック部１５を出没させてケージ６に締結解除自在にロックされるロック機構付きパッケージ１について述べたが、他のタイプのロック機構を備えたパッケージ（図示せず）に操作手段に連動してソケット口を開閉するシャッタを設けてもよい。
【００５９】
【発明の効果】
以上要するに本発明によれば、次のような優れた効果を奏する。
（１）光ファイバコネクタを外したときであっても容易にソケット口内を防塵できる。
（２）光ファイバコネクタの誤挿入を防ぐことができる。
（３）振動落下等で誤ってケージからパッケージが外れるのを防ぐことができる。
【図面の簡単な説明】
【図１】本発明の好適実施の形態を示すロック機構付きパッケージの斜視図である。
【図２】ロック機構付きパッケージの斜視図である。
【図３】雄側ロック機構とシャッタを前方から見下ろした斜視図である。
【図４】雄側ロック機構とシャッタを後方から見下ろした斜視図である。
【図５】ケージに対するロックを解除されたロック機構付きパッケージの斜視図である。
【図６】ロックを解除されたロック機構付きパッケージに光ファイバコネクタを誤挿入しようとしている状態の側断面図である。
【図７】ロック機構付きパッケージを搭載した通信機器の斜視図である。
【図８】図７のロック機構付きパッケージの斜視図である。
【図９】他の実施の形態を示すロック機構付きパッケージの斜視図である。
【図１０】他の実施の形態を示すロック機構付きパッケージの斜視図である。
【図１１】従来のロック機構付きパッケージの側断面図である。
【符号の説明】
１  ロック機構付きパッケージ
６  ケージ
１５  ロック部
１６  ソケット口
１７  パッケージ本体
１８  シャッタ
２１  操作レバー
２２  レバー軸
２３  クランク部
２４  梃子部材
２６  ハンドル部
２８  シャッタ板
２９  延出部
３４  光ファイバコネクタ
【図１】
2004264548.tif 000003
【図２】
2004264548.tif 000004
【図３】
2004264548.tif 000005
【図４】
2004264548.tif 000006
【図５】
2004264548.tif 000007
【図６】
2004264548.tif 000008
【図７】
2004264548.tif 000009
【図８】
2004264548.tif 000010
【図９】
2004264548.tif 000011
【図１０】
2004264548.tif 000012
【図１１】
2004264548.tif 000013